(57)【要約】【課題】  ステージ上における遊技球の転動を見る楽しみを遊技者に十分与えることが出来る、新規な構造のパチンコ機を提供することを、目的とする。【解決手段】  転動ステージ６４の傾斜領域６６に設けられた複数の回転体７６ａ，７６ｂが協働することにより、それら複数の回転体７６ａ，７６ｂのうちの隣り合う回転体７６ａ，７６ｂ同士の間において、傾斜領域６６を転動せしめられる遊技球を傾斜領域６６よりも手前側に設けられた入球口３９へと案内する案内通路８８が所定周期毎に形成されるようにした。【選択図】      図２
2006296573.tif 000002
【特許請求の範囲】
【請求項１】
遊技領域の略中央に中央役物が設けられており、該中央役物には、遊技球が転動せしめられる転動ステージが形成されているパチンコ機において、
前記転動ステージにおいて遊技球を奥側から手前側に向けて転動せしめる傾斜領域に設けられて、該傾斜領域の転動面に略垂直な回転中心軸回りで回転せしめられる複数の回転体と、
該複数の回転体が協働することにより隣り合う該回転体同士の間で所定周期毎に形成されて、前記傾斜領域よりも手前側に設けられた入球口へと遊技球を案内する案内通路と
を、備えていることを特徴とするパチンコ機。
【請求項２】
前記複数の回転体のうち隣り合う二つの該回転体が互いに異なる回転速度で回転せしめられる請求項１に記載のパチンコ機。
【発明の詳細な説明】
【技術分野】
【０００１】
本発明は、遊技球が転動せしめられる転動ステージを備えた中央役物が遊技領域の略中央に設けられているパチンコ機に関するものである。
【背景技術】
【０００２】
この種のパチンコ機として、例えば、特許文献１（特開２０００−６１０５９号公報）に記載のものが知られている。特許文献１に記載のパチンコ機においては、遊技球が転動せしめられるステージ上に設けられた可動物への接触によりステージ上での遊技球の転動方向を変化せしめて、遊技者にステージ上での遊技球の転動をみる楽しみを与えるようになっている。
【０００３】
しかしながら、ステージ上での遊技球の転動をみる楽しみというのは、主に、遊技者にとって有利な方向に遊技球が転動しているか否かという点にあることから、ただ単にステージ上に遊技球の転動方向を変化せしめる可動物を設けただけでは、遊技者を十分に楽しませることが難しい。
【０００４】
【特許文献１】特開２０００−６１０５９号公報
【発明の開示】
【発明が解決しようとする課題】
【０００５】
ここにおいて、本発明は、上述の如き事情を背景として為されたものであって、その解決課題とするところは、ステージ上における遊技球の転動を見る楽しみを遊技者に十分与えることが出来る、新規な構造のパチンコ機を提供することにある。
【課題を解決するための手段】
【０００６】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いは、それらの記載から当業者が把握することが出来る発明思想に基づいて認識されるものであることが理解されるべきである。
【０００７】
本発明の第一の態様は、遊技領域の略中央に中央役物が設けられており、該中央役物には、遊技球が転動せしめられる転動ステージが形成されているパチンコ機において、（ａ）前記転動ステージにおいて遊技球を奥側から手前側に向けて転動せしめる傾斜領域に設けられて、該傾斜領域の転動面に略垂直な回転中心軸回りで回転せしめられる複数の回転体と、（ｂ）該複数の回転体が協働することにより隣り合う該回転体同士の間で所定周期毎に形成されて、前記傾斜領域よりも手前側に設けられた入球口へと遊技球を案内する案内通路とを、備えていることを、特徴とする。
【０００８】
このような本態様に従う構造とされたパチンコ機においては、転動ステージにおいて遊技球を奥側から手前側に向けて転動せしめる傾斜領域に設けられた複数の回転体が協働することにより、それら複数の回転体のうちの隣り合う回転体同士の間で所定周期毎に案内通路が形成されるようになっていることから、傾斜領域を転動せしめられる遊技球を案内通路によって傾斜領域よりも手前側に設けられた入球口へと案内することが可能となる。
【０００９】
これにより、傾斜領域を転動せしめられる遊技球が入球口に入球する可能性を高めることが可能となって、転動ステージにおける遊技球の転動を見る楽しみを遊技者に十分与えることが可能となる。
【００１０】
特に、本態様においては、遊技球が案内通路によって奥側から手前側に案内されてくることから、例えば、入球口に遊技球が入球することにより遊技者に利益が付与される場合には、遊技者のほうに近づいてくる遊技球の動きに対して、これから付与される利益への期待感を重ね合わせることが可能となり、それによって、遊技者に遊技球の転動を観る楽しみを与えることが可能となる。
【００１１】
また、本態様においては、傾斜領域よりも手前側に設けられた入球口へと遊技球を案内する案内通路が隣り合う回転体同士の間で所定周期毎に形成されるようになっていることから、隣り合う回転体同士の間に案内通路が形成されたタイミングで巧く遊技球が案内通路を通って欲しいとの期待感を遊技者に抱かせることが可能となる。
【００１２】
それ故、本態様においては、転動ステージ上での遊技球の転動のみならず、隣り合う回転体の動きに対しても、遊技者の興味を惹き付けることが可能となる。これにより、転動ステージ上での遊技球の転動を見る楽しみのみならず、隣り合う回転体の動きを見る楽しみも遊技者に与えることが可能となる。
【００１３】
なお、本発明において、隣り合う回転体の回転方向は同じであっても良いし、異なっていても良い。
【００１４】
また、案内通路の出口から入球口までの距離が長い場合には、案内通路の出口から入球口若しくは入球口の付近まで遊技球を誘導する誘導通路を設けることが望ましく、それによって、案内通路によって案内されてきた遊技球の入球口への入球を一層有利に実現することが可能となる。
【００１５】
本発明の第二の態様は、前記第一の態様に係るパチンコ機において、前記複数の回転体のうち隣り合う二つの該回転体が互いに異なる回転速度で回転せしめられることを、特徴とする。このような本態様に従う構造とされたパチンコ機においては、隣り合う二つの回転体の間に案内通路が形成されるタイミングを予測する際に、隣り合う二つの回転体の両方の回転を見る必要があり、それによって、隣り合う二つの回転体の動きを見る楽しみを遊技者に一層与えることが可能となる。
【発明の効果】
【００１６】
上述の説明から明らかなように、本発明に従う構造とされたパチンコ機においては、隣り合う回転体同士の間で所定周期毎に案内通路が形成されるようになっており、しかも、その案内通路によって遊技球が傾斜領域よりも手前側に設けられた入球口へと案内されるようになっていることから、転動ステージを転動せしめられる遊技球が案内通路を通るか否かということに関して、遊技者の興味を惹きつけることが可能となり、それによって、転動ステージにおける遊技球の転動を見る楽しみを遊技者に与えることが可能となる。
【発明を実施するための最良の形態】
【００１７】
以下、本発明を更に具体的に明らかにするために、本発明の実施形態について、図面を参照しつつ、詳細に説明する。なお、以下の説明において、左右方向とは、原則として、遊技者から見た左右方向をいうものとする。
【００１８】
図１には、本発明の第一の実施形態としてのパチンコ機１０が示されている。このパチンコ機１０は、縦長な方形状に枠組みされた外枠１２を備えており、かかる外枠１２には、その一側において開閉自在に軸支された状態で中枠１４が組み付けられている。
【００１９】
また、中枠１４の表側には、中枠１４に対して取り付けられた遊技盤１６（図２参照）を透視保護するためのガラス板を備えたガラス枠１８と、上皿２０を備えた皿板２２が、それぞれ、中枠１４の一側に開閉自在に軸支された状態で組み付けられている。更にまた、上皿２０の下方には、下皿２４が設けられており、かかる下皿２４の右方には、操作ハンドル２６が突設されている。
【００２０】
そして、遊技者が操作ハンドル２６に対して回動可能に装着された操作レバー２８を回動操作することにより、上皿２０に貯留された遊技球が、図示しない球送り機構を介して、発射装置（図示せず）に送られた後、遊技盤１６に形成された遊技領域３０に向けて発射されるようになっている。
【００２１】
続いて、遊技盤１６の構造について、図２に基づいて説明する。遊技盤１６は、表面に合成樹脂製のシートが被着された遊技板３２を備えており、かかる遊技板３２の表面側にレールセット３４が固定されることによって略円形の遊技領域３０が形成されている。この遊技領域３０には、液晶表示器３６や始動入賞装置３８，特別可変入賞装置４０，風車４２，多数の遊技釘４４等が設けられている。
【００２２】
そして、遊技者が操作レバー２８を回動操作することによって遊技領域３０に向けて発射された後、遊技領域３０を流下せしめられる遊技球が始動入賞装置３８の入口３９に入球すると、所定個数の賞球が払い出されると共に、液晶表示器３６の表示画面において、複数の特別図柄（図示せず）の変動表示が開始され、それら複数の特別図柄の変動表示が所定時間行われる。その後、複数の特別図柄が特定の停止表示態様で停止表示されると、それまで特別可変入賞装置４０の入口４５を塞いでいた扉４６が予め定められた作動条件に従って、開閉作動せしめられるようになっている。
【００２３】
これにより、特別可変入賞装置４０の入口４５が開放されて、特別可変入賞装置４０への遊技球の入球が可能となる。そして、遊技者は、特別可変入賞装置４０の入口４５に遊技球を入球させることにより、通常の遊技では得ることが出来ない個数の賞球を得ることが可能となる。
【００２４】
また、液晶表示器３６の表示画面の周囲には、液晶表示器３６の周囲を装飾するための中央役物としてのセンター飾り４８が配設されている。このセンター飾り４８は、図３及び図４にも示されているように、本体枠５０の周上の適数箇所において、取付板５２が外方に突出するようにして一体形成された構造とされている。そして、センター飾り４８は、遊技板３２に形成された取付孔（図示せず）に本体枠５０が挿通された状態で、取付板５２によって遊技板３２の表面側から取り付けられるようになっている。
【００２５】
そこにおいて、本体枠５０に形成されている貫通孔５４における他方の開口端の大きさおよび形状は、液晶表示器３６の表示画面の大きさおよび形状に対応している。これにより、遊技盤１６（遊技板３２）の裏側に配設された液晶表示器３６の表示画面が本体枠５０に形成された貫通孔５４を通じて視認可能とされている。
【００２６】
さらに、本体枠５０の一方の端部には、貫通孔５４の上方から側方に亘って手前側に突出する庇５６が形成されている。これにより、液晶表示器３６の表示画面の前方を遊技球が流下することを防止している。
【００２７】
また、センター飾り４８には、庇５６の内部および本体枠５０の内部を利用してワープ通路５８，５８が形成されている。そして、庇５６の外周面に形成されたワープ入口６０，６０から入った遊技球は、ワープ通路５８，５８を通って、本体枠５０の内周面に形成されたワープ出口６２，６２から本体枠５０の下端内周面に形成された転動ステージ６４に案内されるようになっている。
【００２８】
そこにおいて、本実施形態のステージ６４は、その奥行方向中間部分において、本体枠５０の一方の側と他方の側に分割されており、本体枠５０の一方の側よりも他方の側のほうが高くなっている。なお、以下の説明において、転動ステージ６４における本体枠５０の一方の側を手前側フロア６６と称し、他方の側を奥側フロア６８と称することにする。
【００２９】
奥側フロア６８は、左右方向中央部分を中心として左右対象となる波状に湾曲せしめられたフロア面を備えている。また、奥側フロア６８の左右両端付近には、ワープ出口６２，６２が位置せしめられている。これにより、ワープ出口６２から転動ステージ６４に案内されてきた遊技球は、先ず、奥側フロア６８を転動するようになっている。
【００３０】
また、奥側フロア６８には、凹んでいる部分のそれぞれに対して手前側フロア６６に向かって下る誘導傾斜面７０が形成されている。そして、奥側フロア６８を転動している遊技球が誘導傾斜面７０によって手前側フロア６６に誘導されてくるようになっている。
【００３１】
この手前側フロア６６は、そのフロア面７２が奥側から手前側に向かって下る傾斜面とされている。そこにおいて、本実施形態では、手前側フロア６６の奥行方向中間部分には、手前側フロア６６の左右方向に延びる段差７４が形成されており、その段差７４を挟んで手前側のほうが奥側よりも急傾斜とされている。
【００３２】
そして、このような手前側フロア６６には、複数（本実施形態では、二つ）の回転体７６が配設されている。そこにおいて、本実施形態では、これら二つの回転体７６ａ，７６ｂは、互いに同じ形状および大きさとされていることから、その一方についてのみ説明することにし、他方については、その説明を省略することにする。
【００３３】
この回転体７６は、図５および図６にも示されているように、略一定の断面でストレートに延びる柱状部分７８の上端に対して、柱状部分７８の延出方向外方に突出する突出片８０が一体的に設けられた回転体本体８２を備えている。
【００３４】
そこにおいて、柱状部分７８には、突出片８０の突出方向に直交する方向に広がる案内面８１を備えており、特に本実施形態では、かかる案内面８１は回転体７６の回転中心軸に平行な平坦面とされている。因みに、本実施形態では、回転体７６の回転中心軸は、後述する連結軸８４の中心軸によって構成されている。
【００３５】
また、案内面８１において回転体７６の回転中心軸に直交する方向（遊技球を案内する方向となる、図６中の上下方向）の寸法は、遊技球の直径の１／４以上であることが望ましい。これにより、遊技球を案内する作用を有利に確保することが可能となる。
【００３６】
そして、本実施形態では、回転体７６が回転中心軸回りに回転せしめられた場合、回転体本体８２における柱状部分７８の外周面が描く軌跡と略同じ軌跡を突出片８０の突出端が描くようになっている。
【００３７】
また、本実施形態では、突出片８０の下面は、回転体７６が手前側フロア６６に配設された状態で、手前側フロア６６のフロア面７２との間に遊技球の直径よりも大きな隙間が形成されるような位置にある。
【００３８】
更にまた、回転体本体８２には、その延出方向において外方に向かって突出する、筒状外周面を有する連結軸８４が設けられており、この連結軸８４の突出端には、駆動歯車８６が一体的に設けられている。そこにおいて、本実施形態では、各回転体７６に設けられている駆動歯車８６の歯数が互いに異なるように設定されている。
【００３９】
このような構造とされた回転体７６は、手前側フロア６６に形成された挿通孔（図示せず）に連結軸８４が挿通されて、連結軸８４の中心軸（回転中心軸）回りに回転可能な状態で配設されている。そして、このように二つの回転体７６ａ，７６ｂが配設された状態で、二つの回転体７６ａ，７６ｂの回転中心軸は、何れも、手前側フロア６６のフロア面７２に略垂直な方向に延びて互いに平行とされている。
【００４０】
なお、このように回転体７６を配設する方法としては、例えば、駆動歯車８６を連結軸８４と別体形成しておき、連結軸８４を手前側フロア６６に形成された挿通孔に挿通した後、連結軸８４の突出端に駆動歯車８６を接着剤やネジ等を利用して固定することによって、或いは、連結軸８４の端部をＤ字断面にすると共に、駆動歯車８６に対して連結軸８４の端部が嵌め入れられる、Ｄ字断面を有する凹所乃至は挿通孔を形成して、そのＤ字断面とされた連結軸８４の端部を駆動歯車８６に形成された凹所乃至は挿通孔に嵌め入れることによって、有利に実現することが出来る。
【００４１】
また、上述の如く、二つの回転体７６ａ，７６ｂが回転可能に配設された状態で、各回転体７６における回転体本体８２は手前側フロア６６の緩傾斜領域（段差７４よりも奥側の領域）において、フロア面７２に略垂直な方向に突出した状態で、手前側フロア６６の左右方向に所定の隙間をあけて並んでおり、各回転体７６が回転せしめられた際、各回転体７６同士が互いに接触しないようになっている。
【００４２】
因みに、本実施形態では、二つの回転体７６ａ，７６ｂのそれぞれに形成された案内面８１ａ，８１ｂが、各回転体７６の回転中心軸に直交する方向で対向位置せしめられた状態で、二つの案内面８１ａ，８１ｂの対向面間距離が遊技球の直径よりも僅かに大きくなるようにして、二つの回転体７６ａ，７６ｂが並んでいる。
【００４３】
そして、各回転体７６に設けられた突出片８０同士が手前側フロア６６の左右方向で突き合わされて、各回転体７６に形成された案内面８１同士が対向位置せしめられた場合に、それら二つの案内面８１ａ，８１ｂの対向面間において、遊技球が一個だけ通過可能な案内通路としての案内孔８８が形成されるようになっている。
【００４４】
すなわち、隣り合う二つの回転体７６ａ，７６ｂのそれぞれに形成された案内面８１ａ，８１ｂが各回転体７６の回転中心軸に直交する方向で対向位置せしめられることにより、隣り合う二つの回転体７６ａ，７６ｂの間において、案内通路（案内孔８８）が形成されるようになっているのである。
【００４５】
また、上述の如く、二つの回転体７６ａ，７６ｂが回転可能に配設された状態下において、各回転体７６に設けられた駆動歯車８６には、駆動モータ９０の出力軸に固設された出力歯車９２が噛合わされている。なお、図面上では明示されていないが、駆動モータ９０は、適当な部材をよって遊技板３２の裏側や本体枠５０に固定されるようになっている。また、駆動モータ９０としては、従来から公知のＤＣモータ等が採用されている。
【００４６】
そして、上述の如く、各回転体７６に設けられた駆動歯車８６に対して出力歯車９２が噛み合わされていることによって、駆動モータ９０の駆動力が、出力歯車９２を介して、各回転体７６に伝達されるようになっている。これにより、各回転体７６は、その回転中心軸回りで反対方向に回転せしめられるようになっている。
【００４７】
具体的には、左側の回転体７６ａは左回り（反時計回り）に回転せしめられるようになっている一方、右側の回転体７６ｂは右回り（時計回り）に回転せしめられるようになっている。これにより、左側の回転体７６ａに設けられた突出片８０ａは、回転中心軸よりも右側の回転体７６ｂのほうにおいて手前側から奥側に向って移動するようになっている一方、右側の回転体７６ｂに設けられた突出片８０ｂは、回転中心軸よりも左側の回転体７６ａのほうにおいて手前側から奥側に向って移動するようになっている。
【００４８】
また、本実施形態では、右側の回転体７６ｂは２秒で一回転するようになっている一方、左側の回転体７６ａは３秒で一回転するようになっている。これにより、二つの回転体７６ａ，７６ｂの間において、６秒毎に案内孔８８が形成されるようになっている。
【００４９】
更にまた、手前側フロア６６の手前側端部には、上側に突出して手前側フロア６６の左右方向に沿って延びる縦壁９４が、手前側フロア６６の左右両端にそれぞれ形成されている。これにより、手前側フロア６６を転動せしめられる遊技球は、手前側フロア６６の左右方向中間部分から遊技領域３０に放出されるようになっている。
【００５０】
また、手前側フロア６６における急傾斜領域（手前側フロア６６において段差７４よりも手前側の領域）には、二つの回転体７６ａ，７６ｂの間に所定周期毎に出現する案内孔８８によって案内されてきた遊技球を手前側フロア６６において更に手前側に誘導する誘導通路としての誘導溝９６が形成されている。そして、本実施形態では、この誘導溝９６の下流端の真下に始動入賞装置３８の入口３９が位置せしめられている。これにより、誘導溝９６によって誘導される遊技球は、始動入賞装置３８の入口３９に入球する可能性が極めて高くなっている。
【００５１】
なお、本実施形態では、上述の如き駆動モータ９０による回転体７６ａ，７６ｂの駆動は、パチンコ機１０に電源が供給されることによって開始されるようになっている。そして、パチンコ機１０に電源が供給されている限りは、駆動モータ９０による回転体７６ａ，７６ｂの駆動は継続されるようになっている。
【００５２】
上述の説明から明らかなように、本実施形態では、手前側フロア６６によって傾斜領域が形成されており、手前側フロア６６のフロア面７２によって傾斜領域の転動面が構成されている。また、本実施形態では、始動入賞装置３８の入口３９によって入球口が構成されている。
【００５３】
このようなパチンコ機１０においては、遊技者が操作レバー２８を回動操作することによって、遊技球が遊技領域３０に向けて発射されるようになっている。そして、このようにして遊技領域３０に案内された遊技球は、遊技領域３０を流下せしめられるようになっている。
【００５４】
そこにおいて、遊技球が遊技領域３０を流下せしめられている際に、センター飾り４８に形成されたワープ入口６０に入球すると、遊技球はワープ通路５８を通ってワープ出口６２から転動ステージ６４に排出される。
【００５５】
このようにしてワープ出口６２から転動ステージ６４に排出された遊技球は、奥側フロア６８を転動せしめられるようになっており、奥側フロア６８を転動せしめられている際に、奥側フロア６８における波状に湾曲せしめられたフロア面によって、転動の勢いが徐々に弱められるようになっている。
【００５６】
そして、奥側フロア６８における左右方向での転動により勢いが弱められた遊技球は、誘導傾斜面７０によって、手前側フロア６６に誘導されてくる。このようにして、手前側フロア６６に誘導されてきた遊技球は、手前側フロア６６のフロア面に付されている傾斜によって、手前側フロア６６を奥側から手前側に向かって転動せしめられる。
【００５７】
そこにおいて、手前側フロア６６を奥側から手前側に向かって転動してくる遊技球が二つの回転体７６ａ，７６ｂの間を通過しようとする際、二つの回転体７６ａ，７６ｂの間（二つの回転体本体８２ａ，８２ｂの間）に案内孔８８が形成されていると、案内孔８８による案内作用、即ち、一対の案内面８１ａ，８１ｂによる特定方向（誘導溝９６に向う方向）への案内作用によって、遊技球が誘導溝９６に案内されるようになっている。このようにして、誘導溝９６に案内されてきた遊技球は、誘導溝９６による特定方向（始動入賞装置３８の入口３９に向う方向）への誘導作用によって、始動入賞装置３８の入口３９に誘導されるようになっている。
【００５８】
また、手前側フロア６６を奥側から手前側に向って転動してくる遊技球が二つの回転体７６ａ，７６ｂの間を通過しようとする際に、二つの回転体７６ａ，７６ｂの間に案内孔８８が形成されていない場合には、二つの回転体７６ａ，７６ｂの間に形成されている隙間が遊技球の直径よりも小さくなっていることから、二つの回転体７６ａ，７６ｂによって遊技球が受け止められて、二つの回転体７６ａ，７６ｂの間に案内孔８８が形成されるまで、遊技球はその位置に待機させられるようになっている。そして、二つの回転体７６ａ，７６ｂの間に案内孔８８が形成されると、遊技球は、上述のように、案内孔８８と誘導溝９６を通ることによって、始動入賞装置３８の入口３９に誘導されるようになっている。
【００５９】
一方、手前側フロア６６を奥側から手前側に向って転動してくる遊技球が、左側の回転体７６ａよりも左側を通過する場合や、右側の回転体７６ｂよりも右側を通過する場合には、遊技球は誘導溝９６による誘導作用によって始動入賞装置３８の入口３９に誘導され難くなっている。
【００６０】
従って、本実施形態のパチンコ機１０においては、遊技者に対して、転動ステージ６４における遊技球の転動に興味をもたせることが可能となる。
【００６１】
また、二つの回転体７６ａ，７６ｂの間に案内孔８８が形成されることに関しても、遊技者に興味を持たせることが可能となる。
【００６２】
さらに、本実施形態では、案内孔８８を通過した遊技球は、誘導溝９６によって始動入賞装置３８の入口３９に誘導されるようになっていることから、案内孔８８による案内作用のみならず、誘導溝９６による誘導作用も利用して、案内孔８８を通過した遊技球の始動入賞装置３８の入口３９への誘導が一層有利に実現されるようになっている。
【００６３】
更にまた、本実施形態では、二つの回転体７６ａ，７６ｂの間に案内孔８８が形成されていない場合、二つの回転体７６ａ，７６ｂによって遊技球が受け止められることにより、遊技球の転動が一旦停止するようになっていることから、その状態から二つの回転体７６ａ，７６ｂの間に案内孔８８が形成されると、案内孔８８による案内作用が一層効果的に発揮されるようになっており、それによって、案内孔８８を通過した遊技球が始動入賞装置３８の入口３９に入球する確率を一層高めることが可能となる。
【００６４】
また、本実施形態では、案内面８１に直交する方向に突出片８０が突出せしめられていることから、突出片８０の位置を確認することで、案内孔８８が形成されているか否かを判断することが可能となり、それによって、遊技者が回転体７６の動きを見る際の負担を軽減することが可能となる。
【００６５】
続いて、本発明の第二の実施形態のパチンコ機について説明する。なお、以下の説明において、第一の実施形態と同様な構造とされた部材および部位については、図中に、第一の実施形態と同一の符号を付すことにより、それらの詳細な説明を省略する。
【００６６】
本実施形態のパチンコ機は、第一の実施形態のパチンコ機（１０）に比して、図７に示されているように、採用されている回転体９８の構造のみが異なっている。
【００６７】
より詳細には、本実施形態では、回転体９８における回転体本体１００が、図８にも示されているように、略一定の円形断面で延びる柱状部分１０２の軸方向中間部分において軸直角方向外方に向って突出する突出片１０４が一体的に設けられた構造とされている。そこにおいて、本実施形態では、突出片１０４の突出先端面１０６は、回転体９８の回転中心軸に平行な平坦面とされている。因みに、本実施形態では、回転体９８の回転中心軸は、連結軸８４の中心軸によって構成されている。
【００６８】
そして、本実施形態では、二つの回転体９８ａ，９８ｂが手前側フロア６６に配設された状態で、各回転体本体１００に設けられた突出片１０４が手前側フロア６６の左右方向で突き合わされている場合には、それら二つの突出片１０４ａ，１０４ｂの突出先端面１０６ａ，１０６ｂの対向面間距離が遊技球の直径より僅かに大きくされている一方、各回転体本体１００に設けられた突出片１０４が手前側フロア６６の左右方向で突き合わされていない場合には、遊技球の直径よりも大きな隙間が二つの回転体本体１００ａ，１００ｂの間に形成されるようになっている。
【００６９】
これにより、各回転体本体１００に設けられた突出片１０４が手前側フロア６６の左右方向で突き合わされた状態でのみ、それら二つの突出片１０４ａ，１０４ｂの突出先端面１０６ａ，１０６ｂに沿って遊技球を始動入賞装置３８の入口３９に案内する案内通路１０８が形成されるようになっている。そして、案内通路１０８が形成されている場合には、一対の突出先端面１０６ａ，１０６ｂによる特定方向（誘導溝９６に向う方向）への案内作用によって、遊技球が誘導溝９６に案内されてくるようになっており、このように誘導溝９６に誘導されてきた遊技球は、誘導溝９６による誘導作用によって始動入賞装置３８の入口３９に誘導されるようになっている。このことから明らかなように、本実施形態では、突出先端面１０６によって案内面が構成されている。
【００７０】
また、各回転体本体１００に設けられた突出片１０４が手前側フロア６６の左右方向で突き合わされていない状態では、二つの回転体本体１００ａ，１００ｂの間に遊技球の直径よりも大きな隙間が形成されていることから、このような状態下において、二つの回転体本体１００ａ，１００ｂの間を通過した遊技球は、誘導溝９６による誘導作用によって始動入賞装置３８の入口３９に誘導されない可能性がある。
【００７１】
このようなパチンコ機においては、二つの回転体本体１００ａ，１００ｂの間で所定周期毎に案内通路１０８が形成されるようになっていることから、第一の実施形態と同様な効果を得ることが出来る。
【００７２】
特に、本実施形態では、二つの回転体本体１００ａ，１００ｂの間に案内通路１０８が形成されていない場合であっても、二つの回転体本体１００ａ，１００ｂの間を遊技球が通過する場合があり、しかも、その場合には、誘導溝９６による誘導作用によって遊技球が始動入賞装置３８の入口３９に誘導されない可能性があることから、遊技球が始動入賞装置３８の入口３９に入球するか否かということに関して遊技者の興味を一層惹き付けることが可能となり、それによって、遊技者に遊技球の転動を観る楽しみを一層与えることが可能となる。
【００７３】
また、本実施形態では、手前側フロア６６を転動する遊技球が、突出片１０４に接触することによって、その転動方向が変化せしめられる場合があることから、遊技者に遊技球の転動を観る楽しみをより一層与えることが可能となる。
【００７４】
以上、本発明の幾つかの実施形態について詳述してきたが、これらはあくまでも例示であって、本発明は、かかる実施形態における具体的に記載によって、何等、限定的に解釈されるものではない。
【００７５】
例えば、前記第一の実施形態や第二の実施形態では、二つの回転体が採用されていたが、採用される回転体の数は三つ以上でも良く、その場合には、二つ以上の案内通路を形成することが可能となり、それによって、転動ステージにおける遊技球の転動に対する興味や複数の回転体の動きに対する興味を遊技者に一層持たせることが可能となる。
【００７６】
また、前記第一の実施形態や第二の実施形態では、遊技領域３０に入球口（始動入賞装置３８の入口３９）が設けられていたが、入球口は中央役物に設けられていても良い。
【００７７】
さらに、前記第一の実施形態では、突出片８０が設けられていたが、かかる突出片８０は必ずしも必要ではない。
【００７８】
また、前記第一の実施形態や第二の実施形態では、案内面全体が回転体の回転中心軸に平行な平坦面とされていたが、例えば、図９に示されているように、回転体本体１１０の柱状部分１１１の外周面から突出せしめられた突出片１１２に対して円弧状の案内面１１４を形成するようにしても良い。なお、図９では、回転体本体１１０のみを示している。
【００７９】
さらに、前記第一の実施形態や第二の実施形態では、一つの回転体本体に対して一つの案内面が形成されていたが、例えば、図１０に示されているように、一つの回転体本体８２において周方向で異なる位置に複数の案内面８１が形成されていても良い。この場合、各案内面８１における回転体７８の回転中心軸に直交する方向（遊技球を案内する方向）の寸法は、同じであっても良いし、互いに異なっていても良い。因みに、図１０では、各案内面８１において遊技球を案内する方向の寸法は、互いに同じとされている。なお、理解を容易にするために、図１０では、第一の実施形態と同様な構造とされた部材および部位については、同じ符号を付してある。
【００８０】
また、前記第一の実施形態では、回転体７６の回転中心軸は、手前側フロア６６のフロア面７２に略垂直とされていたが、回転体７６の回転中心軸は手前側フロア６６のフロア面７２に直交していても良い。
【００８１】
さらに、回転体の回転方向は前記第一の実施形態や第二の実施形態のものに限定されることはなく、例えば、隣り合う二つの回転体が同じ方向に回転されるようにしても良い。この場合、各回転体の回転速度の大きさが同じとされているのであれば、各回転体に形成されている案内面は、各回転体が回転している状態下において、回転方向で１８０度ずれた位置にあることが望ましく、それによって、隣り合う二つの回転体の間に形成される案内通路によって発揮される、遊技球を奥側から手前側へと案内する作用を、有利に確保することが可能となる。
【００８２】
また、隣り合う二つの回転体が異なる方向に回転せしめられる場合において、各回転体の回転速度の大きさが同じとされているのであれば、各回転体に形成されている案内面は、各回転体が回転している状態で、隣り合う二つの回転体が並ぶ方向での投影において常に重ね合わせられるようになっていることが望ましく、それによって、隣り合う二つの回転体の間に形成される案内通路によって発揮される、遊技球を奥側から手前側へと案内する作用を、有利に確保することが可能となる。
【００８３】
更にまた、第二の実施形態のように、回転体本体の外周面から突出せしめられた突出片が転動ステージ（手前側フロア）を転動する遊技球に接触可能とされている場合には、突出片の回転体本体の外周面からの突出高さが遊技球の半径よりも小さくされていることが望ましく、それによって、回転体本体と突出片によって遊技球が受け止められた状態で誘導されることを有利に回避することが可能となる。
【００８４】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００８５】
【図１】本発明の第一の実施形態としてのパチンコ機を示す正面図である。
【図２】図１に示されたパチンコ機に採用されている遊技盤の正面図である。
【図３】図１に示されたパチンコ機に採用されているセンター飾りを拡大して示す正面図である。
【図４】図３におけるＩＶ−ＩＶ断面図であって、その要部を示す図面である。
【図５】本実施形態で採用されている二つの回転体と出力歯車の位置関係を拡大して示す正面図である。
【図６】本実施形態で採用されている二つの回転体と出力歯車の位置関係を拡大して示す平面図である。
【図７】本発明の第二の実施形態としてのパチンコ機で採用されているセンター飾りを示す正面図である。
【図８】第二の実施形態で採用されている回転体の回転体本体のみを示す平面図である。
【図９】本発明において採用可能な回転体の態様を説明するための図面であって、その要部を示す正面図である。
【図１０】本発明において採用可能な回転体の他の態様を説明するための図面であって、その要部を示す平面図である。
【符号の説明】
【００８６】
１０  パチンコ機
３０  遊技領域
３９  入口
４８  センター飾り
６４  転動ステージ
６６  手前側フロア
７２  フロア面
７６  回転体
８８  案内孔
【図１】
2006296573.tif 000003
【図２】
2006296573.tif 000004
【図３】
2006296573.tif 000005
【図４】
2006296573.tif 000006
【図５】
2006296573.tif 000007
【図６】
2006296573.tif 000008
【図７】
2006296573.tif 000009
【図８】
2006296573.tif 000010
【図９】
2006296573.tif 000011
【図１０】
2006296573.tif 000012